(57)【特許請求の範囲】
【請求項１】
先端側を紙葉類との当接端とし、後端側に嵌着突部を有し、紙葉類切断用の刃体をその刃先を先端側に向けた状態で挟持し、前記嵌着突部の両側に紙葉類通過用の段部を設け、下部に紙葉類の通過溝を設けた本体部と、
前記本体部の嵌着突部が嵌着される空洞部を有し本体部が固着又は着脱可能に一体化されるとともに、先端側から略中央部に至る下辺を真っすぐ形状とし、後端側に操作用の把持部を設け、前記本体部の段部と前記下辺との間に紙葉類の通過域を形成するハンドル部と、
前記本体部により紙葉類切断用の刃先を先端側に向けた状態で挟持され、刃先の一部を前記通過域に、刃先の他の一部を前記通過溝に臨ませた刃体と、
を有し、
前記本体部の先端側の通過溝の端部に、折り返し重合状の紙葉類用の下側紙葉類挿入開口を形成し、前記本体部の先端側とハンドル部の先端側との間に平面状の紙葉類用の上側紙葉類挿入開口を形成するとともに、
前記本体部の通過溝内に装着され、前記本体部の通過溝内で刃体に臨ませた板ばね片により前記下側紙葉類挿入開口からの折り返し重合状の紙葉類を前記刃先の他の一部に誘導して切断させ、前記通過域に臨ませたガイド片により前記上側紙葉類挿入開口からの平面状の紙葉類を前記ハンドル部の下辺側に押圧しつつ前記刃先の一部により切断させる誘導体を備えること、
を特徴とする平面状及び折り返し重合状紙葉類の切断具。
【請求項２】
先端側を紙葉類との当接端とし、後端側に嵌着突部を有し、紙葉類切断用の刃体をその刃先を先端側に向けた状態で挟持し、前記嵌着突部の両側に紙葉類通過用の段部を設け、下部に紙葉類の通過溝を設けた透明樹脂又は半透明樹脂からなる本体部と、
前記本体部の嵌着突部が嵌着される空洞部を有し本体部が固着又は着脱可能に一体化されるとともに、先端側から略中央部に至る下辺を真っすぐ形状とし、後端側に操作用の把持部を設け、前記本体部の段部と前記下辺との間に紙葉類の通過域を形成する透明樹脂又は半透明樹脂からなるハンドル部と、
前記本体部により紙葉類切断用の刃先を先端側に向けた状態で挟持され、刃先の一部を前記通過域に、刃先の他の一部を前記通過溝に臨ませた刃体と、
を有し、
前記本体部の先端側の通過溝の端部に、折り返し重合状の紙葉類用の下側紙葉類挿入開口を形成し、前記本体部の先端側とハンドル部の先端側との間に平面状の紙葉類用の上側紙葉類挿入開口を形成するとともに、
前記本体部の通過溝内に装着され、前記本体部の通過溝内で刃体に臨ませた透明樹脂又は半透明樹脂からなる板ばね片により前記下側紙葉類挿入開口からの折り返し重合状の紙葉類を前記刃先の他の一部に誘導して切断させ、前記通過域に臨ませたガイド片により前記上側紙葉類挿入開口からの平面状の紙葉類を前記ハンドル部の下辺側に押圧しつつ前記刃先の一部により切断させる誘導体を備えること、
を特徴とする平面状及び折り返し重合状紙葉類の切断具。
【請求項３】
先端側を紙葉類との当接端とし、後端側に嵌着突部を有し、紙葉類切断用の刃体をその刃先を先端側に向け、かつ、その刃先を水平に対して４５度から３０度の範囲の鋭角とした状態で挟持し、前記嵌着突部の両側に紙葉類通過用の段部を設け、下部に紙葉類の通過溝を設けた透明樹脂又は半透明樹脂からなる本体部と、
前記本体部の嵌着突部が嵌着される空洞部を有し本体部が固着又は着脱可能に一体化されるとともに、先端側から略中央部に至る下辺を真っすぐ形状とし、後端側に操作用の把持部を設け、前記本体部の段部と前記下辺との間に紙葉類の通過域を形成し、先端側から略中央部に至る上辺の一部に前記刃体を外部から視認できる開口部を設け、後端側に吊り下げ用穴を設けた透明樹脂又は半透明樹脂からなるハンドル部と、
前記本体部により紙葉類切断用の刃先を先端側に向けた状態で挟持され、刃先の一部を前記通過域に、刃先の他の一部を前記通過溝に臨ませた刃体と、
を有し、
前記本体部の先端側の通過溝の端部に、折り返し重合状の紙葉類用の下側紙葉類挿入開口を形成し、前記本体部の先端側とハンドル部の先端側との間に平面状の紙葉類用の上側紙葉類挿入開口を形成するとともに、
前記本体部の通過溝内に装着され、前記本体部の通過溝内で刃体に臨ませた透明樹脂又は半透明樹脂からなる板ばね片により前記下側紙葉類挿入開口からの封筒のような折り返し重合状の紙葉類を前記刃先の他の一部に誘導してその折り返し部分を切断させ、前記通過域に臨ませたガイド片により前記上側紙葉類挿入開口からの平面状の紙葉類を前記ハンドル部の下辺側に押圧しつつ前記刃先の一部により切断させる誘導体を備えること、
を特徴とする平面状及び折り返し重合状紙葉類の切断具。
【発明の詳細な説明】
【技術分野】
【０００１】
本発明は、平面状及び折り返し重合状紙葉類の切断具に関し、詳しくは、一枚又は複数枚の紙葉を重ねた平面状紙葉類、及び施封された封筒や二枚折りの紙葉のような折り返し重合状紙葉類をいずれも簡略に所望の状態に切断し得る平面状及び折り返し重合状紙葉類の切断具に関するものである。
【背景技術】
【０００２】
従来、紙葉類の切断用カッターとして、一枚の紙葉を所望の状態に切断するペーパーカッターや封筒の施封部分を切断し、開封するレターカッターが種々提案されている。
【０００３】
図２１は、従来のレターカッターの一例を示すものであり、このレターカッター５１は、指により把持可能なカッター本体５２の下部に、同図において右端から左端にわたって封筒５６の施封部分を通過させる細幅の封筒誘導溝５３を下端が開口した状態に設け、この封筒誘導溝５３内にカッター刃５４の刃先５４ａを右端側に向けて配置した封筒切断部５５を備える構成としている。
【０００４】
この従来のレターカッター５１によれば、カッター本体５２の操作で封筒５６の開封はもちろんのこと、図示しないが二つ折りの紙葉を所望寸法の紙片に切り、メモ用紙を作ることができる等の利点を有している。
【０００５】
しかし、従来のレターカッター５１は、例えば一枚の紙葉のような平面状の紙葉類を所望の形状に切断するという用途には不向きである。
【０００６】
特許文献１には、カッター本体の端部に押圧弾片を設け、カッター本体から押圧弾片を貫く状態で刃部の刃先を外方に突出させ、押圧弾片を切断すべき紙葉側に押し付けるようにしつつカッター本体を操作することで、前記刃先により紙葉の所望部分を切断するように構成したペーパーカッターが提案されている。
【０００７】
このペーパーカッターの場合、例えば一枚の新聞紙のような紙葉を切断して切り抜きを行うことができるものの、上述した封筒５６の開封用としては利便性に乏しい。
【先行技術文献】
【特許文献】
【０００８】
【特許文献１】特開１０−１５６０６１号公報
【発明の概要】
【発明が解決しようとする課題】
【０００９】
本発明が解決しようとする問題点は、単体構成でありながら、一枚又は複数枚の紙葉を重ねた平面状紙葉類、及び施封された封筒や二枚折りの紙葉のような折り返し重合状紙葉類を、各々簡略に所望の状態に切断し得るような切断具が存在しない点である。
【課題を解決するための手段】
【００１０】
本発明に係る平面状及び折り返し重合状紙葉類の切断具は、先端側を紙葉類との当接端とし、後端側に嵌着突部を有し、紙葉類切断用の刃体をその刃先を先端側に向けた状態で挟持し、前記嵌着突部の両側に紙葉類通過用の段部を設け、下部に紙葉類の通過溝を設けた本体部と、前記本体部の嵌着突部が嵌着される空洞部を有し本体部が固着又は着脱可能に一体化されるとともに、先端側から略中央部に至る下辺を真っすぐ形状とし、後端側に操作用の把持部を設け、前記本体部の段部と前記下辺との間に紙葉類の通過域を形成するハンドル部と、前記本体部により紙葉類切断用の刃先を先端側に向けた状態で挟持されて、刃先の一部を前記通過域に、刃先の他の一部を前記通過溝に臨ませた刃体と、を有し、前記本体部の先端側の通過溝の端部に、折り返し重合状の紙葉類用の下側紙葉類挿入開口を形成し、前記本体部の先端側とハンドル部の先端側との間に平面状の紙葉類用の上側紙葉類挿入開口を形成するとともに、前記本体部の通過溝内に装着され、前記本体部の通過溝内で刃体に臨ませた板ばね片により前記下側紙葉類挿入開口からの折り返し重合状の紙葉類を前記刃先の他の一部に誘導して切断させ、前記通過域に臨ませたガイド片により前記上側紙葉類挿入開口からの平面状の紙葉類を、前記ハンドル部の下辺側に押圧しつつ平面状の紙葉類を山形状にして刃に誘導することで紙葉類の腰を出し一層切り易く（特に新聞等の腰の弱い紙を切る場合は山形にして刃に当てないと切り難い）して、切断するようにした誘導体を備えることを最も主要な特徴とする。
【発明の効果】
【００１１】
請求項１記載の発明によれば、単体構成でありながら、一枚又は複数枚の紙葉を重ねた平面状紙葉類、及び施封された封筒や二枚折りの紙葉のような折り返し重合状紙葉類を、刃体の刃先の異なる部分で各々簡略に所望の状態に切断したり開封したりすることができる斬新で耐久性にも優れる平面状及び折り返し重合状紙葉類の切断具を提供することができる。
【００１２】
請求項２記載の発明によれば、請求項１記載の発明と同様な効果を奏するとともに、本体部、ハンドル部を透明樹脂又は半透明樹脂としているので、一枚又は複数枚の紙葉や封筒の切断部分を外部から視認でき、切断作業の確実性を図ることも可能な平面状及び折り返し重合状紙葉類の切断具を提供することができる。
【００１３】
請求項３記載の発明によれば、請求項２記載の発明と同様な効果を奏するとともに、刃体の刃先を水平に対して４５度から３０度の範囲の鋭角とし、ハンドル部に刃体を外部から視認できる開口部を設け、後端側に吊り下げ用穴を設けているので、紙葉類の切断作業がよりし易く、切断作業の確実性をより向上でき、更に、吊り下げ用穴に紐等の部材をとりつけることでこの切断具の保管の便宜をも図ることができる平面状及び折り返し重合状紙葉類の切断具を提供することができる。
【図面の簡単な説明】
【００１４】
【図１】図１は本発明の実施例に係る切断具の概略斜視図である。
【図２】図２は本実施例に係る切断具における刃体、誘導体を組み込んだ本体部を示す概略説明図である。
【図３】図３は本実施例に係る切断具における本体部を構成する一方の基体を示す正面図である。
【図４】図４は本実施例に係る切断具における本体部を構成する他方の基体を示す正面図である。
【図５】図５は本実施例に係る切断具における本体部を構成する両基体を対向配置した状態を示す平面図である。
【図６】図６は本実施例に係る切断具における本体部を構成する両基体を対向配置した状態を示す斜視図である。
【図７】図７は本実施例に係る切断具におけるハンドル部の正面図である。
【図８】図８は本実施例に係る切断具におけるハンドル部の平面図である。
【図９】図９は本実施例に係る切断具におけるハンドル部の側面図である。
【図１０】図１０は本実施例に係る切断具におけるハンドル部の断面図である。
【図１１】図１１は本実施例に係る切断具におけるハンドル部の斜視図である。
【図１２】図１２は本実施例に係る切断具における誘導体を構成する一方の板バネ片及びガイド片の正面図である。
【図１３】図１３は本実施例に係る切断具における誘導体を構成する他方の板バネ片の正面図である。
【図１４】図１４は本実施例に係る切断具における誘導体を構成する両板バネ片を対向配置した状態を示す平面図である。
【図１５】図１５は本実施例に係る切断具における誘導体を構成する両板バネ片を対向配置した状態を示す斜視図である。
【図１６】図１６は本実施例に係る切断具により封筒を開封する状態を示す説明図である。
【図１７】図１７は本実施例に係る切断具により封筒を開封する状態の他例を示す説明図である。
【図１８】図１８は本実施例に係る切断具により平面状の紙葉を切断状態を示す説明図である。
【図１９】図１９は本実施例に係る切断具の斜視図である。
【図２０】図２０は本実施例に係る切断具の底面図である。
【図２１】図２１は従来のレターカッターを示す正面図である。
【発明を実施するための形態】
【００１５】
本発明は、単体構成でありながら、一枚又は複数枚の紙葉を重ねた平面状紙葉類、及び施封された封筒や二枚折りの紙葉のような折り返し重合状紙葉類を、各々簡略に所望の状態に切断できる平面状及び折り返し重合状紙葉類の切断具を提供するという目的を、先端側を紙葉類との当接端とし、後端側に嵌着突部を有し、紙葉類切断用の刃体をその刃先を先端側に向け、かつ、その刃先を水平に対して４５度から３０度の範囲の鋭角とした状態で挟持し、前記嵌着突部の両側に紙葉類通過用の段部を設け、下部に紙葉類の通過溝を設けた透明樹脂又は半透明樹脂からなる本体部と、前記本体部の嵌着突部が嵌着される空洞部を有し本体部が固着又は着脱可能に一体化されるとともに、先端側から略中央部に至る下辺を真っすぐ形状とし、後端側に操作用の把持部を設け、前記本体部の段部と前記下辺との間に紙葉類の通過域を形成し、先端側から略中央部に至る上辺の一部に前記刃体を外部から視認できる開口部を設け、後端側に吊り下げ用穴を設けた透明樹脂又は半透明樹脂からなるハンドル部と、前記本体部により紙葉類切断用の刃先を先端側に向けた状態で挟持され、刃先の一部を前記通過域に、刃先の他の一部を前記通過溝に臨ませた刃体と、を有し、前記本体部の先端側の通過溝の端部に、折り返し重合状の紙葉類用の下側紙葉類挿入開口を形成し、前記本体部の先端側とハンドル部の先端側との間に平面状の紙葉類用の上側紙葉類挿入開口を形成するとともに、前記本体部の通過溝内に装着され、前記本体部の通過溝内で刃体に臨ませた板ばね片により前記下側紙葉類挿入開口からの封筒のような折り返し重合状の紙葉類を前記刃先の他の一部に誘導してその折り返し部分を切断させ、前記通過域に臨ませたガイド片により前記上側紙葉類挿入開口からの平面状の紙葉類を、前記ハンドル部の下辺側に押圧しつつ平面状の紙葉類を山形状にして刃に誘導することで紙葉類の腰を出し一層切り易く（特に新聞等の腰の弱い紙を切る場合は山形にして刃に当てないと切り難い）して、切断するようにした誘導体を備える構成により実現した。
【実施例】
【００１６】
以下、本発明の実施例に係る平面状及び折り返し重合状紙葉類の切断具について図１乃至図２０を参照して詳細に説明する。
本実施例に係る平面状及び折り返し重合状紙葉類の切断具（以下「切断具」という）１は、図１、図１９、図２０に示すように、例えば透明樹脂又は半透明樹脂からなる本体部２及びハンドル部３１と、紙葉類切断用の刃体２１と、前記本体部２に組み込んだ例えば透明樹脂からなり弾性を有する誘導体４１とを有し、全体としてスティック状に構成している。
【００１７】
前記本体部２は、図２乃至図６に示すように、第１、第２の基体４ａ、４ｂの突出ピン、ピン孔を用いた接合構造からなり、先端２ａ側（図１において左端側）を詳細は後述する平面状及び折り返し重合状紙葉類との当接端とし、後端２ｂ側に後述するハンドル部３１に固着又は着脱可能に嵌着する上方に突出した例えば山形状の嵌着突部３を形成し、更に略中央下部で、かつ、先端寄りにおいて紙葉類切断用の刃体２１をその刃先２１ａを先端側に向けた状態で挟持するように構成している。
【００１８】
前記ハンドル部３１は、図７乃至図１１に示すように、先端３１ａ側から略中央部に至る下辺３１ｃを真っすぐ形状とするとともに、下端側を開口状態とし、先端３１ａ側から略中央部に至る範囲でその内部に上辺近傍に至る空洞部３２を設け、後端３１ｂ側に操作者が指により把持し切断操作を行うための横向きの吊り下げ用穴３５付きの把持部３３を設けた一体構造としている。
【００１９】
前記ハンドル部３１の上辺には、例えば長楕円形状の開口部３４を穿設し、前記刃体２１の刃先２１ａの近傍領域を上部から視認し得るように構成している。
【００２０】
また、前記吊り下げ用穴３５には、例えば吊り下げ用のボールチェーン、紐等を取り付けるようになっている。
【００２１】
前記本体部２の先端２ａ側から略中央部に至る下部位置には、図３乃至図６に示すように、前記第１、第２の基体４ａ、４ｂにおける下側の端縁形状を弧状とした相対向配置の両下辺部５ａ、５ｂにより、先端２ａ側から略中央部に至る領域を真っすぐに貫く配置で折り返し重合状の紙葉類、例えば、封筒の施封部を通過させる下向きコ状の通過溝６を設けている。
【００２２】
また、前記第１、第２の基体４ａ、４ｂにより形成する例えば山形状の嵌着突部３の中央部寄りには、前記第１、第２の基体４ａ、４ｂに対向する配置で設けた突出ピン、ピン孔構造で、平行四辺形状の刃体２１の取り付け孔部分を固着し、この刃体２１の刃先２１ａを先端２ａ側に向ける状態としている。
【００２３】
前記刃体２１の刃先２１ａの角度は、前記本体部２を水平配置としたとき、例えば４５度から３０度の範囲の鋭角とし、従来のレターカッターよりカッター刃の角度をより鋭角にしてより切り易くしている。
【００２４】
更に、前記第１、第２の基体４ａ、４ｂの上辺側には、前記例えば山形状の嵌着突部３を挟むようにしてその両側前後方向に平坦な紙葉類通過用の段部７ａ、７ｂを形成している。これら両段部７ａ、７ｂは、前記本体部２の先端２ａ側から後端近傍に至るまで形成している。
【００２５】
そして、前記嵌着突部３の下辺側は紙葉類の通過を妨げないように凹溝状としている。
【００２６】
また、前記刃体２１は、前記第１、第２の基体４ａ、４ｂにより挟持され、その刃先２１ａの一部が前記段部７ａ、７ｂに臨む位置に、また、その刃先２１ａの他の一部が前記下向きコ状の通過溝６内に臨む状態としている。
【００２７】
すなわち、前記刃体２１は、前記段部７ａ、７ｂを通過する紙葉類、通過溝６を通過する紙葉類を刃先２１ａの異なる位置で各々切断するようになっている。
【００２８】
更に、本実施例に係る切断具１は、図１２乃至図１５に示すように、前記本体部２の通過溝６における先端近傍位置から前記刃体２１に臨む位置にわたって、第１の誘導体４２ａ、第２の誘導体４２ｂの接合構造からなる誘導体４１を装着している。
【００２９】
この誘導体４１の第１の誘導体４２ａは、図１２に示すように、前記本体部２の下向きコ状の通過溝６における側壁の内側に突出ピン、ピン孔構造で接合させるばね体基部４３と、ばね体基部４３から前記刃体２１側に突出させた弾性を有する板ばね片４４と、ばね体基部４３と一体で前記通過溝６の上壁下側に添着させる平坦片４５と、この平坦片４５から上方に突出させたガイド片４６との一体構造となっている。
【００３０】
同様に第２の誘導体４２ｂは、図１３に示すように、前記本体部２の下向きコ状の通過溝６における側壁の内側に突出ピン、ピン孔構造で接合させるばね体基部４３と、ばね体基部４３から前記刃体２１側に突出させた弾性を有する板ばね片４４と、ばね体基部４３と一体で前記通過溝６の上壁下側に添着させる平坦片４５と、この平坦片４５から上方に突出させたガイド片４６との一体構造で、かつ、前記第１の誘導体４２ａと対称形状に構成している。
【００３１】
そして、一対の板ばね片４４、４４の互いの先端側が圧接するようにを互いに対称形状に屈曲させ、その両先端側で前記刃体２１を挟み込む状態として紙葉類を前記刃体２１の刃先２１ａに向けて誘導するように構成している。
【００３２】
また、前記一対のガイド片４６、４６は、突出ピン、ピン孔構造で一体化されるとともに、その先端側を前記第１、第２の基体４ａ、４ｂの上辺を貫通させて前記段部７ａ、７ｂよりも上方に突出させ、前記前記ハンドル部３１に設けた空洞部３２内に没入させるように構成している。
【００３３】
上述した構成の前記誘導体４１を組み込んだ前記本体部２と、前記ハンドル部３１とは、前記本体部２の嵌着突部３を前記ハンドル部３１に設けた空洞部３２内に固着又は着脱可能に嵌着することで前記ハンドル部３１により挟圧された状態で一体的となり、この状態では、図１に示すように前記本体部２の段部７ａ、７ｂと、ハンドル部３１の下辺３１ｃとにより、前記例えば山形状の嵌着突部３の両側位置を占める真っすぐな紙葉類用の一対の通過域８が形成される。
【００３４】
更に、前記本体部２の先端２ａ側には、前記通過溝６の左端を占める下側紙葉類挿入開口９が形成され、前記本体部２の先端２ａ側とハンドル部３１の先端３１ａ側との間には、上側紙葉類挿入開口１０が形成される。
【００３５】
次に、上述した構成からなる本実施例に係る切断具１による紙葉類の切断動作について、図１６乃至図２０を参照して説明する。
【００３６】
本実施例に係る切断具１の切断対象である紙葉類としては、一枚又は複数枚の紙葉を重ねた平面状紙葉類、及び施封された封筒や二枚折りの紙葉のような折り返し重合状紙葉類であり以下に場合を別けて説明する。
【００３７】
図１６は、前記切断具１の下側紙葉類挿入開口９に例えば折り返し重合状紙葉類の一種である封筒Ｐ１の一辺を挿入して、この封筒Ｐ１を開封する状態を示すものである。
【００３８】
すなわち、切断具１のハンドル部３１を指に持ち、封筒Ｐ１の開封すべき一辺の角部を切断具１の下側紙葉類挿入開口９に挿入し、ペーパーナイフの要領で図１６に示す矢印ａ方向に切断具１を操作する。
【００３９】
これにより、封筒Ｐ１の角部は、誘導体４１の板ばね片４４により前記刃体２１における刃先２１ａの他の一部に誘導され、その刃先２１ａが角部を切り裂き、更に封筒Ｐ１の一辺端縁側も連続的に切断される。このようにして、前記封筒Ｐ１を簡略容易に開封することができる。
【００４０】
図示しないが、二つ折りした例えば一枚の紙葉の場合も同様にして前記切断具１の下側紙葉類挿入開口９にその折り返し部分から挿入し、ペーパーナイフの要領で図１６に示す矢印方向に切断具１を操作することで、その折り返しラインに沿って簡略容易に切断することができる。この場合には、二つ折り紙を切って、メモ用紙を作るのに極めて便利である。
【００４１】
封筒Ｐ１の角部がつぶれた状態であるため、刃先２１ａが角部に刺さらなかった場合には、その角部を下側紙葉類挿入開口９に挿入し、図１７に示すように、一旦ハンドル部３１をその一辺から遠ざかる方向（矢印ｃ方向）に引いて角部のみを切り、その後その辺方向（矢印ｂ方向）にペーパーナイフの要領で切り進むことで、前記封筒Ｐ１を簡略容易に開封することができる。
【００４２】
図１８は、一枚又は複数枚の紙葉を重ねた平面状紙葉類を所望の状態に切断する場合を示すものである。
【００４３】
この場合には、平面状紙葉類の一種である例えば一枚の平坦な紙葉Ｐ２を、前記切断具１の上側紙葉類挿入開口１０に挿入し、図１８に示す矢印ｄ方向に切断具１を操作する。
【００４４】
これにより、前記紙葉Ｐ２の所望箇所は、前記通過域８に臨ませたガイド片４６により前記ハンドル部３１の下辺３１ｃ側に押圧しつつ前記刃体２１における刃先２１ａの一部（刃先２１ａの上述した場合とは別の部分）により連続的に切断される。
【００４５】
このようにして、前記紙葉Ｐ２の所望箇所を簡略容易に切断することができる。図示しないが、二枚、三枚と重合した平坦な紙葉Ｐ２の場合も、同様にして所望箇所をいっきに切断することができる。
【００４６】
上述した本実施例の切断具１によれば、単体構成の基に、一枚又は複数枚の紙葉Ｐ２を重ねた平面状紙葉類、及び施封された封筒Ｐ１や二枚折りの紙葉のような折り返し重合状紙葉類を、各々簡略に所望の状態に切断することができ、実用的価値に優れるものである。
【００４７】
また、本実施例の切断具１によれば、以下に列記するような種々の作用、効果を発揮する。
（１）封筒Ｐ１の場合折り返された頂点部分を切るので、封筒Ｐ１の縁を切り落とすことなくゴミを出さすに奇麗に開封でき、大切な手紙を封筒ごと保存するのに最適である。
（２）のり付けされた封筒でも刃体２１の刃先２１ａが刺さって開封できる。
（３）上述した構造により、どちらの切り方でもカッターマットなどの下敷き用具は不要で、切断作業が簡略である。
（４）刃体２１が透明樹脂又は半透明樹脂からなる本体部の一部、透明樹脂又は半透明樹脂からなるからなるハンドル部３１の一部によってカバーされているので直接刃に指が触ることなく、指の切傷が無く安全性に優れる。
（５）また、透明樹脂又は半透明樹脂を採用しているので、外部から刃体２１の位置を視認して確認でき切る時の不安がない。
（６）平面状紙葉類の切断の場合には、ハンドル部３１に設けた開口部３４から切る位置をはっきり確認できる。
（７）本実施例の切断具１によれば、単体構成の基に、一枚又は複数枚の紙葉Ｐ２を重ねた平面状紙葉類、及び施封された封筒Ｐ１や二枚折りの紙葉のような折り返し重合状紙葉類に対する刃体２１における刃先２１ａの切断部分を別の位置にしているので、同一部分のみ使用する場合に比べ耐久性が向上する。
（８）従来のレターカッターより刃体２１の取り付け角度を鋭角にしているのでより切り易くなり、また、封筒Ｐ１の開封の場合、角部により刺さり易くなる。
（９）切断具１の全体形状がスティック形状なので、ペン立て等に立てて容易に収納でき、保管に便利である。
【産業上の利用可能性】
【００４８】
本発明の切断具は、上述した一枚又は複数枚の紙葉を重ねた平面状紙葉類、及び施封された封筒や二枚折りの紙葉のような折り返し重合状紙葉類をいずれも簡略に所望の状態に切断し得る平面状及び折り返し重合状紙葉類の切断具としての用途の他、新聞、雑誌の所望箇所を切り取りスクラップしたり、クーポン券の所望箇所を切断したり、お菓子や惣菜等各種食品を収納した袋の一辺を切断したり、カタログ類の所望箇所を切断したりする等、種々の用途に広範に適用可能である。
【符号の説明】
【００４９】
１    切断具
２    本体部
２ａ  先端
２ｂ  後端
３    嵌着突部
４ａ  第１の基体
４ｂ  第２基体
５ａ  下辺部
５ｂ  下辺部
６    通過溝
７ａ  段部
７ｂ  段部
８    通過域
９    下側紙葉類挿入開口
１０    上側紙葉類挿入開口
２１    刃体
２１ａ  刃先
３１    ハンドル部
３１ａ  先端
３１ｂ  後端
３１ｃ  下辺
３２    空洞部
３３    把持部
３４    開口部
３５    吊り下げ用穴
４１    誘導体
４２ａ  第１誘導体
４２ｂ  第２誘導体
４３    ばね体基部
４４    板ばね片
４５    平坦片
４６    ガイド片
Ｐ１    封筒
Ｐ２    紙葉
【図１】
0005431093.tif 000002
【図２】
0005431093.tif 000003
【図３】
0005431093.tif 000004
【図４】
0005431093.tif 000005
【図５】
0005431093.tif 000006
【図６】
0005431093.tif 000007
【図７】
0005431093.tif 000008
【図８】
0005431093.tif 000009
【図９】
0005431093.tif 000010
【図１０】
0005431093.tif 000011
【図１１】
0005431093.tif 000012
【図１２】
0005431093.tif 000013
【図１３】
0005431093.tif 000014
【図１４】
0005431093.tif 000015
【図１５】
0005431093.tif 000016
【図１６】
0005431093.tif 000017
【図１７】
0005431093.tif 000018
【図１８】
0005431093.tif 000019
【図１９】
0005431093.tif 000020
【図２０】
0005431093.tif 000021
【図２１】
0005431093.tif 000022